(57)【特許請求の範囲】
【請求項１】
建物躯体に取付部材を固定し、この取付部材に固定した固定部材に、中空部と該中空部の一側に形成されたアリ溝状取付部とを有するルーバー材を固定するとともに、このルーバー材の小口を小口化粧材によって塞ぐ建築用ルーバーの小口塞ぎ構造であって、
上記ルーバー材の中空部の互いに対向する内壁面の長手方向に沿って１対の突条を形成し、上記ルーバー材の小口を塞ぐ小口化粧材の背面側には上記各内壁面の突条に対応する嵌合片を２個平行に突出形成し、両側の嵌合片の先端間の間隔は、上記突条の幅よりわずかに小さい程度に形成するとともに、上記ルーバー材の両端の小口に小口化粧材を当て、上記２個の嵌合片の間に上記突条を嵌合させて固定したことを特徴とする建築用ルーバーの小口塞ぎ構造。
【請求項２】
上記嵌合片を２個形成することに代えて１個を形成し、上記突条の中央には嵌合溝が形成され、該嵌合溝の内側に上記嵌合片を嵌合させて固定したことを特徴とする、請求項１に記載の建築用ルーバーの小口塞ぎ構造。
【請求項３】
上記小口化粧材の背面側には上記ルーバー材の中空部の壁に係合する係合部を突出形成し、該係合部から上記ルーバー材の中空部の壁にビス止めしたことを特徴とする、請求項１又は２のいずれかに記載の建築用ルーバーの小口塞ぎ構造。
【請求項４】
上記ルーバー材及び小口化粧材の表面に、適宜の模様を施したシートを貼着したことを特徴とする、請求項１〜３のいずれかに記載の建築用ルーバーの小口塞ぎ構造。
【発明の詳細な説明】
【技術分野】
【０００１】
本発明は、小口の処理と取り付け作業を改良した建築用ルーバーの小口塞ぎ構造に関するものである。
【背景技術】
【０００２】
この種の建築用ルーバーの小口塞ぎ構造に関する技術として、中空の羽板（ルーバー材）に形鋼を貫通し、形鋼の両端部に支持腕部の先端に設けられた固着板を溶着する構成のものが知られている（特許文献１参照）。支持腕部は羽板の小口を覆うに十分な大きさを有し、その先端から直角に突設された固着板は、羽板の中空部に挿入されて形鋼に溶着されている。したがって、羽板の両端小口は支持腕部に覆われるから、別途小口蓋を取り付ける必要はない。また、上記構造を工場で予め組み立てておき、現場では支持腕部の基部を建築物の躯体に固定すればよいので、作業を迅速に行うことができるというメリットがある。
【先行技術文献】
【特許文献】
【０００３】
【特許文献１】特開２００２−１８０６２７公報
【発明の概要】
【発明が解決しようとする課題】
【０００４】
しかしながら、その半面、形鋼と固着板とを溶着する作業が必要となるほか、固着板は支持腕部の先端部に突設されるものであるから、部品コストがかかるという問題がある。
【０００５】
また、ルーバー本体の小口をカバー材でカバーすることは従来から行われているが、カバー材を固定する際、ビス、釘等の止め具を表側から打ち込むので、止め具の頭が外部に露出し、意匠性が損なわれるという問題があった。
【０００６】
本発明は、上記問題点を解消し、部品点数を節減でき、作業も簡単であるとともに、意匠性にも優れる建築用ルーバーの小口塞ぎ構造を提供することをその課題とする。
【課題を解決するための手段】
【０００７】
前記課題を解決するため、請求項１に係る発明は、建物躯体に取付部材を固定し、この取付部材に固定した固定部材に、中空部と該中空部の一側に形成されたアリ溝状取付部とを有するルーバー材を固定するとともに、このルーバー材の小口を小口化粧材によって塞ぐ建築用ルーバーの小口塞ぎ構造であって、
上記ルーバー材の中空部の互いに対向する内壁面の長手方向に沿って１対の突条を形成し、上記ルーバー材の小口を塞ぐ小口化粧材の背面側には上記各内壁面の突条に対応する嵌合片を２個平行に突出形成し、両側の嵌合片の先端間の間隔は、上記突条の幅よりわずかに小さい程度に形成するとともに、上記ルーバー材の両端の小口に小口化粧材を当て、上記２個の嵌合片の間に上記突条を嵌合させて固定したことを特徴とする。
【０００８】
請求項２に係る発明は、請求項１において、上記嵌合片を２個形成することに代えて１個を形成し、上記突条の中央には嵌合溝が形成され、該嵌合溝の内側に上記嵌合片を嵌合させて固定したことを特徴とする。
【０００９】
請求項３に係る発明は、請求項１〜３のいずれかにおいて、上記小口化粧材の背面側には上記ルーバー材の取付部の壁に係合する係合部を突出形成し、該係合部から上記ルーバー材の中空部の壁にビス止めしたことを特徴とする。
【００１０】
請求項４に係る発明は、請求項１〜４のいずれかにおいて、上記ルーバー材及び小口化粧材の表面に、適宜の模様を施したシートを貼着したことを特徴とする。
【発明の効果】
【００１１】
請求項１に係る発明によれば、建物躯体に固定した取付部材に断面Ｌ字形の固定部材の一方の片を固定したことにより、固定部材の他方の片は建物躯体の外表面と平行になる。そして、ルーバー材を取り付けるときは、上記他方の片からボルトを挿通し、このボルトを、ルーバー材の中空部の一側に設けられた取付部内の受け金具に螺着固定する構成であるから、上記ボルトの頭部は固定部材の背面側に隠れ、外側からは見えない。また、ルーバー材の両端部には小口化粧材が嵌合して装着されているので、ネジ頭が露出せず意匠性に優れる建築用外装ルーバーを提供することができる。
【００１２】
また、ルーバー材の両端部には小口化粧材が装着されるが、小口化粧材はルーバー材の端部に嵌合により装着されているので、作業が簡単であるとともに、特別の部材を使わないので、部品点数を節減してコストを抑えることができる。
【００１３】
さらに、ルーバー材の中空部の互いに対向する内壁面の長手方向に沿って１対の突条を形成し、上記ルーバー材の小口を塞ぐ小口化粧材の背面側には上記各内壁面の突条に対応する嵌合片を２個平行に突出形成し、両側の嵌合片の先端間の間隔は、上記突条の幅よりわずかに小さい程度に形成するとともに、上記ルーバー材の両端の小口に小口化粧材を当て、上記２個の嵌合片の間に上記突条を嵌合させて固定する構成であるから、２個の嵌合片の間に上記突条を嵌合させたとき、両側の嵌合片の先端間の間隔は、上記突条の幅よりわずかに小さい程度に形成されているから、きつく嵌合され、小口化粧材はガタつきがなく、しっかりと固定される。
【００１４】
請求項２に係る発明によれば、突条の中央には嵌合溝が形成され、該嵌合溝の内側に上記嵌合片を嵌合させるようにして固定するものであるから、いずれの場合も、ガタつきがなく、小口化粧材の嵌合作業を容易かつ確実に行うことができる。
【００１５】
請求項３に係る発明によれば、小口化粧材の背面側には上記ルーバー材の取付部の壁に係合する係合部を突出形成し、係合部から挿通したビスを上記係合部の内側を挿通させて上記ルーバー材の中空部の壁に螺着したことにより、小口化粧材をより強固に固定することができるとともに、上記係合部をアリ溝状取付部の底壁に係合させることにより、ビスの頭部もアリ溝状取付部の内側にあって外部からは隠れているので、美観が損なわれることがない。
【００１６】
請求項４に係る発明によれば、例えば木目模様のシートを貼着すると、外観が全く異なるルーバーが得ることができる。しかも、小口化粧材とルーバー材の表面にはネジ頭が露出していないので、貼着されたシートの表面が滑らかである。したがって、意匠性を高めることができる。
【図面の簡単な説明】
【００１７】
【図１】本発明に係る建築用外装ルーバーの斜視図
【図２】上記外装ルーバーの縦断面図
【図３】ルーバー材と小口化粧材との取付態様を示す斜視図
【図４】上記外装ルーバーの端部の横断面図
【図５】（ａ）（ｂ）は他の実施形態の小口化粧材の斜視図及び外装ルーバーの端部の横断面図
【図６】（ａ）（ｂ）は別の実施形態の小口化粧材の斜視図及び外装ルーバーの端部の横断面図
【発明を実施するための最良の形態】
【００１８】
図１は、本発明に係る建築用外装ルーバーの一方の小口側をメインにした斜視図であり、図２はその縦断面図である。図１及び図２において、符号１は外装ルーバーで、この外装ルーバー１は建物躯体２の外表面に固定した複数個の取付部材３に固定部材４を固定し、さらにこの固定部材４に複数のルーバー材５を水平に固定したものである。
【００１９】
取付部材３は断面Ｌ字形の短尺の部材で、一方の片は固定ボルト６により建物躯体２に、他方の片もボルト７により固定部材４に固定されている。
【００２０】
固定部材４は断面Ｌ字形のアングル材で、一方の片４ａは取付部材３に固定され、他方の片４ｂにはルーバー材５が固定されている。建物躯体２の外面には複数の固定部材４が上下方向に沿って互いに平行に配設されている。
【００２１】
ルーバー材５は、中空の押出形材よりなり中空部８の下部に断面Ｌ字形の側片部９を一対で延長形成し、両側の側片部９の内側にアリ溝状の取付部１０を形成したもので、取付部１０内には受け金具１１が配置され、受け金具１１には雌ネジが形成されている。ルーバー材５は、固定部材４の上記他方の片４ｂから挿通したボルト１２を受け金具１１に螺着することにより固定されている。同様にして、複数のルーバー材５が固定部材４に水平に配設されている。そして、ルーバー材５の両端部にはルーバー材５の小口を塞ぐ小口化粧材１３が装着されている。
【００２２】
ルーバー材５と小口化粧材１３の装着態様は次のとおりである。
【００２３】
ルーバー材５には、図３に示されるように、中空部８の互いに対向する内壁面の長手方向に沿って上下１対の突条１４が形成されている。突条１４はビスホールと同様に断面円弧状に形成され、中央には嵌合溝１５が形成されている。
【００２４】
小口化粧材１３はアルミニウム等の金属によって構成され、ルーバー材５の断面形状の外形と同じ長方形状を有し、その背面側の中央のやや上部には１対の嵌合片１６が平行に突出形成されている。嵌合片１６は板状で小口化粧材１３をルーバー材５の小口に当てたときにルーバー材５の中空部８内の突条１４に嵌合できる位置に形成され、また中空部８に嵌合できる程度の大きさに形成されているとともに、両側の嵌合片１６の先端間の間隔は、ルーバー材５の突条１４の幅よりわずかに小さい程度に形成されている。
【００２５】
次に、嵌合片１６の下部には係合部１７が形成されている。係合部１７は先端が内側に屈曲した２個の係合片からなり、内側にはビスが挿通できる程度の空間が形成されている。また、嵌合片１６と係合部１７との間の間隔は、ルーバー材５の中空部８の下部の壁１９の肉厚と略同じに形成されている。したがって、嵌合片１６の端部は中空部８の下部の壁１９に、係合部１７はルーバー材５の取付部１０の壁に係合する。
【００２６】
上記構成の小口化粧材１３をルーバー材５の小口に装着するときは、まず図３のように小口化粧材１３の嵌合片１６の間にルーバー材５の突条１４が嵌合するように押し込んで固定する。しかも、図４に示されるように、アリ溝状の取付部１０の両側の側片部９の間の開口部からビス１８を挿通し、小口化粧材１３の係合部１７の内側を通って中空部８の壁１９に螺着して固定する。ビス１８は係合部１７を介してルーバー材５の中空部８に圧接した状態で固定されるとともに、係合部１７の先端部は内側に屈曲してビスを抱えるようになるため、小口化粧材１３はビス１８によってさらに確実に固定される。
【００２７】
上述のように、ルーバー材５を固定するボルト１２の頭部は固定部材４の背面側に隠れ、小口化粧材１３をルーバー材５に固定するビス１８の頭部はアリ溝の内側に隠れ、外側からは見えない。また、ルーバー材５の両端部には小口化粧材１３が嵌合して装着され、ビスを使用していないので、意匠性に優れる建築用外装ルーバーを提供することができる。
【００２８】
また、ルーバー材５の両端部には小口化粧材１３が装着されるが、小口化粧材１３はルーバー材５の端部に嵌合により装着されているので、作業が簡単であるとともに、特別の部材を使わないので、部品点数を節減してコストを抑えることができる。
【００２９】
また、嵌合片１６自体もルーバー材５の中空部８内の突条１４に嵌合するので、取付後にがたつきが生じることはない。
【００３０】
なお、係合部１７は必ずしも必要ではない。次に示す実施形態では係合部１７を省略している。もちろん、この実施形態の場合も係合部を設けてもよい。
【００３１】
図５（ａ）（ｂ）は小口化粧材１３の取付けの他の実施形態を示すもので、嵌合片１６の先端１６ａを内側に屈曲して先端部間の間隔をルーバー材５の突条１４の幅よりも小さくしておけばよい。
【００３２】
上記構成によれば、小口化粧材１３をルーバー材５の小口に装着するときは、小口化粧材１３の嵌合片１６の間にルーバー材５の突条１４がきつく嵌合するように押し込んで固定すればよい。嵌合片１６の先端１６ａが内側に屈曲しているので、嵌合片１６の固有弾性により先端部がルーバー材５の突条１４を強く押圧するので、係合部１７がなくても小口化粧材１３は確実に固定される。
【００３３】
次に、嵌合片１６は突条１４の外側に嵌合する形態に限定されない。たとえば、図６（ａ）（ｂ）に示されるように、嵌合片１６を左右に交互にジグザグ状に折れ曲がる１枚の板状片によって形成し、これをルーバー材５の断面円弧状の突条１４の内側の嵌合溝１５に嵌合するようにしてもよい。この場合も、嵌合片１６の折れ曲がり部の山部２０が突条１４の内面を押圧する。また、嵌合片１６はジグザグ状に折れ曲がっているので、両側に突出する各山部２０が突条１４の嵌合溝１５の内側面に当接するので、小口化粧材１３は確実に固定される。
【００３４】
ルーバー材５は上記実施形態のように水平方向に配置してもよいが、上下方向に配置してもよい。また、ルーバー材５の突条１４の位置も図示したものに限定されない。
【００３５】
なお、図示はしないが、上記ルーバー材５及び小口化粧材１３の表面に、適宜の模様を施した合成樹脂製等のシートを貼着してもよい。これによれば、例えば木目模様のシートを貼着すると、外観が全く異なるルーバーが得ることができる。しかも、小口化粧材とルーバー材の表面にはネジ頭が露出していないので、貼着されたシートの表面が滑らかである。したがって、意匠性を高めることができる。
【００３６】
シートを貼着するときは、小口化粧材とルーバー材のそれぞれに又は個別に貼着してもよく、あるいは一体に貼着してもよい。
【符号の説明】
【００３７】
１    外装用ルーバー
２    建物躯体
５    ルーバー材
８    中空部
１０  取付部
１１  受け金具
１３  小口化粧材
１４  突条
１５  嵌合溝
１６  嵌合片
１７  係合部
【図１】
0004895237.tif 000002
【図２】
0004895237.tif 000003
【図３】
0004895237.tif 000004
【図４】
0004895237.tif 000005
【図５】
0004895237.tif 000006
【図６】
0004895237.tif 000007